(57)【要約】      （修正有）【課題】弁動作音が小さく、静音性に優れたラッチ型の電磁開閉弁を提供する。【解決手段】非磁性材製の筒状の弁ハウジングと、前記弁ハウジング内に固定装着され、前記弁ハウジングの軸線方向の一方の側に弁座面を有し、弁ポートを貫通形成された非磁性材製の弁座部材と、前記弁ハウジング内の前記弁座部材の一方の側に移動可能に設けられ、前記弁ポートを開閉する磁性材製のボール弁体と、前記ボール弁体を前記弁座面に押し付ける圧縮ばねと、前記弁ハウジングの径方向の一方側に当該弁ハウジングの外壁に接した状態で固定装着され前記弁ハウジングの軸線方向の両端部にＳ極Ｎ極の磁極部を有する永久磁石と、前記弁ハウジングの径方向の一方側に固定装着され電磁コイルを具備し、通電により磁化して前記永久磁石の前記磁極部に対応する部位に電磁磁極部を形成しコイル通電方向に応じて前記電磁磁極部のＳＮ極性を反転する電磁コイルユニットとを有する。【選択図】図１
2008144926.tif 000002
【特許請求の範囲】
【請求項１】
非磁性材製の筒状の弁ハウジングと、
前記弁ハウジング内に固定装着され、前記弁ハウジングの軸線方向の一方の側に弁座面を有し、弁ポートを貫通形成された非磁性材製の弁座部材と、
前記弁ハウジング内の前記弁座部材の一方の側に移動可能に設けられ、前記弁ポートを開閉する磁性材製のボール弁体と、
前記ボール弁体を前記弁座面に押し付ける圧縮ばねと、
前記弁ハウジングの径方向の一方側に当該弁ハウジングの外壁に接した状態で固定装着され、前記弁ハウジングの軸線方向の両端部にＳ極、Ｎ極の磁極部を有する永久磁石と、
前記弁ハウジングの径方向の一方側に固定装着され、電磁コイルを具備し、前記電磁コイルに対する通電により磁化して前記永久磁石の前記磁極部に対応する部位に電磁磁極部を形成し、コイル通電方向に応じて前記電磁磁極部のＳＮ極性を反転する電磁コイルユニットとを有し、
前記電磁コイルに対する第１の方向の通電によって前記電磁磁極部が前記永久磁石の磁極部の極性と反対の極性に磁化することにより前記弁ポートを閉じている弁閉位置にある前記ボール弁体の配置部に吸引磁界を生成し、当該吸引磁界によって前記ボール弁体が前記弁閉位置より前記弁座面に接触した状態で前記圧縮ばねを圧縮変形させつつ前記弁ハウジングの径方向に移動して前記永久磁石に磁気的に吸引保持されることにより、前記ボール弁体が前記弁ポートを開く弁開位置に保持され、
前記電磁コイルに対する前記第１の方向と反対の第２の方向の通電によって前記電磁磁極部が前記永久磁石の磁極部の極性と同一の極性に磁化することにより前記永久磁石による前記ボール弁体に対する磁気的な吸引保持力が低減し、前記圧縮ばねのばね力によって前記ボール弁体が前記弁開位置より前記弁座面に接触した状態で前記弁ハウジングの径方向に移動して前記ボール弁体が前記弁ポートを閉じる弁閉位置に保持されることを特徴とするラッチ型の電磁開閉弁。
【請求項２】
前記弁ハウジングは円筒管により構成され、円環状の前記弁座面の中央部に前記弁ポートが開口し、前記弁座面は前記中央部を底部とするテーパ面になっており、前記ボール弁体は前記テーパ面上を転動あるいは摺動して前記弁閉位置と前記弁開位置との間を変位することを特徴とする請求項１に記載の電磁開閉弁。
【請求項３】
前記ボール弁体は前記弁座面の前記弁ポートに対する開口縁がなす角部を支点として回転して前記弁閉位置と前記弁開位置との間を変位することを特徴とする請求項１に記載の電磁開閉弁。
【請求項４】
前記弁ハウジングは、銅系金属等、鉄系金属より制振性が高い非磁性の管材により構成されていることを特徴とする請求項１に記載の電磁開閉弁。
【請求項５】
前記圧縮ばねは、非磁性材製であることを特徴とする請求項１〜４のいずれか一項に記載の電磁開閉弁。
【発明の詳細な説明】
【技術分野】
【０００１】
この発明は、電磁開閉弁に関し、特に、冷蔵庫の冷媒回路等に用いられるラッチ型の電磁開閉弁に関するものである。
【背景技術】
【０００２】
冷蔵庫の冷媒回路の開閉に用いられる電磁開閉弁として、電磁コイルに対する通電を止めても弁閉状態あるいは弁開状態を維持（保持）するラッチ型（自己保持型）の電磁開閉弁が知られている（例えば、特許文献１、２）。
【０００３】
従来より知られているラッチ型の電磁開閉弁は、電磁コイル装置のプランジャに弁体が連結され、プランジャが電磁コイルに対する通電によって吸引子に磁気的に吸引されることにより、プランジャが軸線方向に移動して弁体がプランジャと共に弁座部材より離間する方向に開弁移動し、プランジャが吸引子に当接して当該当接状態が永久磁石の磁力によって保持されることにより、弁開状態が保持される。弁閉時には電磁コイルに弁開時とは逆方向に通電することにより、プランジャに対する永久磁石の磁力の作用度が低下し、弁閉ばねのばね力によってプランジャが吸引子より離れ、弁体が弁座部材に当接して弁閉状態となる。これを直動型のラッチ式電磁開閉弁と云う。
【特許文献１】特開２００２−１８８７４３号公報
【特許文献２】特開２００２−２５０４５７号公報
【発明の開示】
【発明が解決しようとする課題】
【０００４】
直動型のラッチ式電磁開閉弁では、弁開時にはプランジャが吸引子に衝突することにより当接音が生じ、弁閉時には弁体が弁座部材に衝突することにより当接音が生じる。この当接音は、吸引子と弁体の連結体が比較的大きい質量をもっていて、プランジャや弁座部材に衝撃的に当接するため、比較的大きい耳障りな音になる。また、直動型のラッチ式電磁開閉弁では、弁閉ばねのばね力による弁体の軸線方向移動によって瞬間的に弁閉状態になるため、液冷媒衝撃音（ウォータハンマ音）が大きい。また、弁閉時には、弁体が弁座面に衝突することによる当接音が生じる。
【０００５】
特に、家庭用の冷蔵庫では、弁動作音が小さく、静音性がよいことを要求されるから、上述したような直動型のラッチ式電磁開閉弁が家庭用の冷蔵庫の冷媒回路の開閉に用いられると、弁動作音が問題になり、静音性が損なわれる原因になる。
【０００６】
この発明が解決しようとする課題は、弁動作音が小さく、静音性に優れ、家庭用の冷蔵庫の冷媒回路の開閉に適したラッチ型の電磁開閉弁を提供することである。
【課題を解決するための手段】
【０００７】
この発明による電磁開閉弁は、非磁性材製の筒状の弁ハウジングと、前記弁ハウジング内に固定装着され、前記弁ハウジングの軸線方向の一方の側に弁座面を有し、弁ポートを貫通形成された非磁性材製の弁座部材と、前記弁ハウジング内の前記弁座部材の一方の側に移動可能に設けられ、前記弁ポートを開閉する磁性材製のボール弁体と、前記ボール弁体を前記弁座面に押し付ける圧縮ばねと、前記弁ハウジングの径方向の一方側に当該弁ハウジングの外壁に接した状態で固定装着され前記弁ハウジングの軸線方向の両端部にＳ極Ｎ極の磁極部を有する永久磁石と、前記弁ハウジングの径方向の一方側に固定装着され電磁コイルを具備し前記電磁コイルに対する通電により磁化して前記永久磁石の前記磁極部に対応する部位に電磁磁極部を形成しコイル通電方向に応じて前記電磁磁極部のＳＮ極性を反転する電磁コイルユニットとを有し、前記電磁コイルに対する第１の方向の通電によって前記電磁磁極部が前記永久磁石の磁極部の極性と反対の極性に磁化することにより前記弁ポートを閉じている弁閉位置にある前記ボール弁体の配置部に吸引磁界を生成し、当該吸引磁界によって前記ボール弁体が前記弁閉位置より前記弁座面に接触した状態で前記圧縮ばねを圧縮変形させつつ前記弁ハウジングの径方向に移動して前記永久磁石に磁気的に吸引保持されることにより、前記ボール弁体が前記弁ポートを開く弁開位置に保持され、前記電磁コイルに対する前記第１の方向と反対の第２の方向の通電によって前記電磁磁極部が前記永久磁石の磁極部の極性と同一の極性に磁化することにより前記永久磁石による前記ボール弁体に対する磁気的な吸引保持力が低減し、前記圧縮ばねのばね力によって前記ボール弁体が前記弁開位置より前記弁座面に接触した状態で前記弁ハウジングの径方向に移動して前記ボール弁体が前記弁ポートを閉じる弁閉位置に保持される。
【０００８】
この発明による電磁開閉弁は、好ましくは、前記弁ハウジングは円筒管により構成され、円環状の前記弁座面の中央部に前記弁ポートが開口し、前記弁座面は前記中央部を底部とするテーパ面になっており、前記ボール弁体は前記テーパ面上を転動あるいは摺動して前記弁閉位置と前記弁開位置との間を変位する。
【０００９】
この発明による電磁開閉弁は、好ましくは、前記ボール弁体は前記弁座面の前記弁ポートに対する開口縁がなす角部を支点として回転して前記弁閉位置と前記弁開位置との間を変位する。
【００１０】
この発明による電磁開閉弁は、好ましくは、前記弁ハウジングは、銅系金属等、鉄系金属より制振性が高い非磁性の管材により構成されている。
【００１１】
この発明による電磁開閉弁は、好ましくは、前記圧縮ばねは、非磁性材製である。
【発明の効果】
【００１２】
この発明による電磁開閉弁によれば、開閉弁動作において、ボール弁体は弁座面より離れることがなく、ボール弁体はプランジャと弁体との連結体に比べて質量が小さいので、弁開時にボール弁体が弁ハウジングの内壁に衝突しても大きい衝突音が発生することがなく、弁閉時にボール弁体が弁座面に衝突することによる当接音の発生もない。また、ボール弁体は、弁ポートに対して横ずれすることにより、弁閉するから、弁体の軸線方向移動による弁閉に比べてゆっくり弁閉状態になるため、液冷媒衝撃音の発生が抑えられる。
【００１３】
これらのことにより、弁動作音が小さく、静音性に優れ、家庭用の冷蔵庫の冷媒回路の開閉に適したラッチ型の電磁開閉弁が得られる。
【発明を実施するための最良の形態】
【００１４】
この発明によるラッチ型の電磁開閉弁の一つの実施形態を、図１〜図３を参照して説明する。
【００１５】
この実施形態による電磁開閉弁は、全体を符号１０により示されている。電磁開閉弁１０は、弁ハウジング１１を有する。
【００１６】
弁ハウジング１１は、直管による銅円筒管製のものであり、一端が入口ポート１２が、他端が出口ポート１３になっていて、入口側、出口側の継手管を兼ねている。弁ハウジング１１は、内部に、入口ポート１２と出口ポート１３との間に延在する流路１４を画定している。
【００１７】
弁ハウジング１１内には、円柱状の弁座部材１５が固定装着されている。弁座部材１５は、黄銅等の非磁性材により構成されており、弁ハウジング１１の軸線方向（図１、図２で見て左右方向）の入口ポート１２の側（一方の側）に弁座面１６を有し、弁ポート１７を弁ハウジング１１の軸線方向に貫通形成されている。弁座面１６は円環状をなし、弁座面１６の中央部に弁ポート１７が開口しており、弁座面１６は弁ポート１７が明いている中央部を底部とするすり鉢状のテーパ面になっている。この弁座面１６のテーパ角度θは、二次元断面において、ボール弁体２０の弁座面１６との接点における接線同士のなす角度よりも弁座面１６のなす角度が大きくなるような、大きな開き角になっている。
【００１８】
弁座部材１５の弁ハウジング１１に対する固定装着は、弁座部材１５の全周に形成された凹溝（周溝）１８に、弁ハウジング１１を外側から、全周に亘って、あるいは多方向から気密性と強度を確保すべく、かしめることにより行われている。弁座部材１５の固定を行う弁ハウジング１１のかしめ部１９は外側から見て凹溝になっている。
【００１９】
弁ハウジング１１内の弁座部材１５の一方の側（弁ハウジング１１の入口ポート１２の側）にはボール弁体２０が移動可能に設けられている。ボール弁体２０は、ステンレス鋼球等、磁性材により構成されており、弁ポート１７を開閉する。
【００２０】
弁ポート１７よりも弁ハウジング１１の軸方向の内側にはばね受け部材２１が固定装着されている。ばね受け部材２１は、黄銅等の非磁性材により構成されており、半球状のばね取付部２２、径方向貫通孔２３、軸線方向貫通孔２４を形成されている。ばね受け部材２１より入口ポート１２の側とばね受け部材２１より弁座部材１５の側とは、軸線方向貫通孔２４、径方向貫通孔２３、ばね受け部材２１と弁ハウジング１１との円環状空隙２５によって連通している。
【００２１】
ばね受け部材２１の弁ハウジング１１に対する固定装着は、ばね受け部材２１の全周に形成された凹溝（周溝）２６に、弁ハウジング１１を外側から、全周に亘って、あるいは多方向から強度を確保すべく、かしめることにより行われている。ばね受け部材２１の固定を行う弁ハウジング１１のかしめ部２７は外側から見て凹溝になっている。
【００２２】
ばね受け部材２１のばね取付部２２とボール弁体２０との間には圧縮コイルばね２８が取り付けられている。圧縮コイルばね２８は、後述する永久磁石３１、電磁コイル３３の磁気的作用に影響を及ぼさないよう、リン青銅等の非磁性材により構成され、ばね力によってボール弁体２０を弁座面１６に押し付けている。
【００２３】
弁ハウジング１１の径方向（図１、図２で見て上下方向で、前記軸線方向に直交する方向を云う）の一方側（上側）には、瓦形状の永久磁石３１が弁ハウジング１１の円弧面状の外壁に接した状態で装着されている。永久磁石３１の弁ハウジング１１に対する軸線方向に関する取付位置は、弁座部材１５とばね受け部材２１との間で、ボール弁体２０の配置部相当である。永久磁石３１は、弁ハウジング１１の軸線方向の一方の側（入口ポート１２の側）の端部がＳ磁極部３１Ａ、他方の側（出口ポート１３の側）の端部がＮ磁極部３１Ｂになっている。
【００２４】
弁ハウジング１１の径方向の一方側（上側）には、電磁コイルユニット３２が取り付けられている。電磁コイルユニット３２は、円筒状の巻線による電磁コイル３３と、電磁コイル３３を絶縁モールドする樹脂モールド部３４と、磁性鋼板製の外凾３５と、電磁コイル３３の中心部を貫通する軸状の内部磁路形成部材３６とを有する。外凾３５は、軸線方向に沿って互いの間に樹脂モールド部３４を挟みこむ一対の磁性材ケース３９，４０を備え、これらの磁性材ケース３９，４０各々に電磁コイル３３に対する通電により磁化して永久磁石３１のＳ磁極部３１Ａ、Ｎ磁極部３１Ｂに対応する部位に電磁磁極部３７、３８を形成している。電磁磁極部３７、３８のＳＮ極性は、電磁コイル３３に対する通電方向に応じて反転する。
【００２５】
永久磁石３１は電磁コイルユニット３２の樹脂モールド部３４のモールド成形時に樹脂モールド部３４に組付けられる形状に形成された部位に取り付けられる。永久磁石３１と電磁コイルユニット３２との弁ハウジング１１の軸線方向の取付位置関係は、永久磁石３１の軸線方向中央位置に対して電磁コイル３３の軸線方向中央位置が出口ポート１３の側に規定量だけ偏倚しており、入口ポート１２の側の電磁磁極部３７は永久磁石３１のＳ磁極部３１Ａに直接接しているのに対して、出口ポート１３の側の電磁磁極部３８は永久磁石３１のＮ磁極部３１Ｂと規定隙間Ｗｏだけ離間して、出口ポート１３側に位置付けられている。
【００２６】
電磁コイルユニット３２の弁ハウジング１１に対する取り付けは、外凾３５の磁性材ケース３９，４０の軸線方向の両端に各々形成されたヨーク形状の取付脚部３９Ａ、４０Aを、弁座部材固定用のかしめ部（凹溝）１９、ばね受け部材固定用のかしめ部（凹溝）２７に嵌め込んで弁ハウジング１１に対する軸線方向の取付位置の位置決めを行い、樹脂モールド部３４に一体に形成された取付脚部３４Ａ、３４Ｂ（図３に示す）間に弁ハウジング１１を位置付けて当該弁ハウジング１１を取り囲むように取付金具４１を係止することに行われる。なお、取付金具４１は、圧縮コイルばね２８と同様に、永久磁石３１、電磁コイル３３の磁気的作用に影響を及ぼさないよう、リン青銅等の非磁性材により構成されている。
【００２７】
つぎに、上述の構成による電磁開閉弁１０の作用について説明する。
【００２８】
図１は、ボール弁体２０が弁座部材１５の中心位置にあって圧縮コイルばね２８のばね力によって弁座面１６に押し付けられ、弁ポート１７を閉じる弁閉位置にある状態を示している。なお、この弁閉状態では、圧縮コイルばね２８の軸長はＬｓであり、軸長Ｌｓに応じたばね力（初期ばね力）を生じている。
【００２９】
この弁閉状態において、電磁コイル３３に対して第１の方向による通電が行われると、電磁磁極部３７、３８が永久磁石３１のＳ磁極部３１Ａ、Ｎ磁極部３１Ｂの極性と反対の極性に磁化する。つまり、電磁磁極部３７がＮ極に、電磁磁極部３８がＳ極に磁化する。
【００３０】
これにより、規定隙間Ｗｏだけ離間している電磁磁極部３８と永久磁石３１のＮ磁極部３１Ｂとの間の磁路によって弁閉位置にあるボール弁体２０の配置部に吸引磁界が生じ、当該吸引磁界によってボール弁体２０が、弁閉位置より弁座面１６に接触した状態で、図２に示されているように、圧縮コイルばね２８を圧縮変形させつつテーパ形状の弁座面１６上を転動あるいは摺動して弁ハウジング１１の径方向上側に移動し、永久磁石３１に磁気的に吸引保持される。このようにしてボール弁体２０が弁ポート１７に対して横ずれすることにより、弁ポート１７が開かれる。この弁開状態では、圧縮コイルばね２８の軸長は弁閉時の軸長Ｌｓより短い軸長Ｌｏになっており、初期ばね力より強いばね力を生じている。
【００３１】
ボール弁体２０が永久磁石３１に磁気的に吸引保持されることにより、弁開のための通電開始より規定時間経過後に、電磁コイル３３に対する通電を停止しても、ボール弁体２０は、永久磁石３１の磁気的吸引作用によって、図２に示されているように、弁ポート１７を開く弁開位置に保持（ラッチ）される。
【００３２】
この弁開動作において、ボール弁体２０は弁座面１６より離れることがなく、ボール弁体２０は従来型の電磁開閉弁のプランジャと弁体との連結体に比べて質量が小さいので、弁開時に弁ハウジング１１の内壁に衝突しても、大きい衝突音が発生することがない。
【００３３】
しかも、弁ハウジング１１が銅系金属等、鉄系金属より制振性が高い非磁性の管材によって構成されていることにより、吸音性が得られ、ボール弁体２０が弁ハウジング１１の内壁に衝突しても無音に近い状態を得ることができる。
【００３４】
この弁開状態において、電磁コイル３３に対して第１の方向と反対の第２の方向による通電が行われると、電磁磁極部３７、３８が永久磁石３１のＳ磁極部３１Ａ、Ｎ磁極部３１Ｂの極性と同一の極性に磁化する。つまり、電磁磁極部３７がＳ極に、電磁磁極部３８がＮ極に磁化する。
【００３５】
これにより、永久磁石３１によるボール弁体２０に対する磁気的な吸引保持力が低減し、ボール弁体２０に作用する永久磁石３１による磁気吸引保持力より圧縮コイルばね２８のばね力が打ち勝つようになる。これにより、ボール弁体２０は、圧縮コイルばね２８のばね力によって弁開位置より弁座面１６に接触した状態で、テーパ形状の弁座面１６上を転動あるいは摺動して弁座面１６の中心側に移動（弁ハウジング１１の径方向に移動）し、図１に示されているように、ボール弁体２０が弁ポート１７を閉じる弁閉位置に位置する。
【００３６】
弁閉のための通電開始より規定時間経過後に、電磁コイル３３に対する通電を停止しても、ボール弁体２０は、圧縮コイルばね２８のばね力によって、図１に示されているように、弁ポート１７を閉じる弁閉位置に保持（ラッチ）される。
【００３７】
この弁閉動作において、ボール弁体２０は、弁座面１６より離れることがなく、テーパ形状の弁座面１６上を転動あるいは摺動して弁閉するから、弁閉時にボール弁体２０が弁座面１６に衝突することによる当接音が発生することがない。また、ボール弁体２０は、弁ポート１７に対して横ずれすることにより、弁閉するから、弁体の軸線方向移動による弁閉に比べてゆっくり弁閉状態になり、液冷媒衝撃音の発生が抑えられる。
【００３８】
これらのことにより、本実施形態の電磁開閉弁１０は、優れた静音性を示すことになる。また、圧縮コイルばね２８が、永久磁石３１、電磁コイル３３の磁気的作用に影響を及ぼさないよう、非磁性材により構成されていることにより、上述した開閉弁作動が安定した状態で行われる。
【００３９】
また、本実施形態の電磁開閉弁１０は、以下のような利点も有する。
【００４０】
弁ハウジング１１自体が継手管を兼ねていることにより部品点数の削減が行われる。弁座部材１５、ばね受け部材２１が、ろう付けによらずに、弁ハウジング１１にかしめ結合されているので、生産性が向上する。これらのことによってコスト低減を図ることができる。
【００４１】
電磁コイルユニット３２の弁ハウジング１１に対する取り付け、取り外しは、かしめ部１９、２７に対する取付脚部３９Ａ、４０Ａの弁ハウジング径方向の抜き差し、取付脚部３４Ａ、３４Ｂに対する取付金具４１の弁ハウジング径方向の着脱により行われるので、電磁開閉弁１０の配管取付後においても、電磁開閉弁１０を配管より取り外すことなく行うことができる。
【００４２】
これにより、配管済みの電磁開閉弁１０のメンテナンス等における電磁コイルユニット３２の交換等が容易に行われるようになる。
【００４３】
また、電磁コイルユニット３２の弁ハウジング１１に対する円周方向の配置位置は、永久磁石３１と共に、３６０度、自由な位置に設定できる。これにより、電磁開閉弁１０の設置位置の自由度が増す。しかも、電磁コイルユニット３２は弁ハウジング１１の径方向の片側にのみ出っ張って位置するから、電磁開閉弁１０の配管の自由度が増し、電磁開閉弁取り付けの配管位置を壁面に近付けることができる。
【００４４】
他の実施形態として、図４、図５に示されているように、ばね受け部材２１にボール２９を取り付け、ボール２９によって圧縮コイルばね２８を受け止めるようにし、弁開閉動作時の圧縮コイルばね２８の傾動が低抵抗で行われるようにして作動性を改善することもできる。
【００４５】
なお、図４は図１と同等の弁閉状態を、図５は図２と同等の弁開状態を各々示しており、図４、図５において、図１、図２に対応する部分は、図１、図２にに付した符号と同一の符号を付けて、その説明を省略する。
【００４６】
この発明によるラッチ型の電磁開閉弁の他の実施形態を、図６を参照して説明する。なお、図６において、図１、図２に対応する部分は、図１、図２に付した符号と同一の符号を付けて、その説明を省略する。
【００４７】
この実施形態では、ボール弁体２０は、弁座面１６の弁ポート１７に対する開口縁がなす角部１６Ａを支点として、てこの原理にて回転して弁閉位置と弁開位置との間を変位するように構成されている。
【００４８】
この実施形態でも、開閉弁動作において、ボール弁体２０は弁座面１６より離れることがなく、ボール弁体２０は従来型の電磁開閉弁のプランジャと弁体との連結体に比べて質量が小さいので、弁開時にボール弁体２０が弁ハウジング１１の内壁に衝突しても大きい衝突音が発生することがなく、弁閉時にボール弁体２０が弁座面１６に当接することによる衝突音の発生もない。また、ボール弁体２０は、弁ポート１７に対して横ずれすることにより、弁閉するから、弁体の軸線方向移動による弁閉に比べてゆっくり弁閉状態になり、液冷媒衝撃音の発生が抑えられる。これらのことにより、本実施形態の電磁開閉弁１０でも優れた静音性が得られる。
【００４９】
上述の実施形態による電磁開閉弁１０を冷凍・冷蔵庫の省エネルギ回路用開閉弁として用いた使用例を、図７、図８（ａ）、（ｂ）を参照して説明する。
【００５０】
冷凍サイクル装置による冷凍・冷蔵庫の冷媒回路は、圧縮機１０１、蒸発皿１０２、凝縮器１０３、キャピラリ１０４、蒸発器１０５を有し、蒸発器１０５は冷凍・冷蔵庫の冷凍室に対して設置される。
【００５１】
この冷媒回路には、省エネルギ回路のために、凝縮器１０３とキャピラリ１０４との間に上述の実施形態による電磁開閉弁１０が設けられ、蒸発器１０５と圧縮機１０１との間に逆止弁１０６が設けられる。
【００５２】
圧縮機１０１が動作している冷却運転時には、電磁開閉弁１０が弁開し、図８（ａ）に示されているように、冷媒が、圧縮機１０１→蒸発皿１０２→凝縮器１０３→電磁開閉弁１０→キャピラリ１０４→蒸発器１０５→逆止弁１０６→圧縮機１０１と云う循環路を流れる。この冷却運転時にはダンパ１０７は冷気を制御し冷蔵室にも流れる。
【００５３】
これに対し、圧縮機１０１の運転停止時には、電磁開閉弁１０が弁閉し、逆止弁１０６の逆止作用と相まって、図８（ｂ）に示されているように、冷媒流れで見て、蒸発器１０５が、圧縮機１０１、蒸発皿１０２、凝縮器１０３より切り離される。
【００５４】
運転停止時は、圧縮機１０１の吐出側から電磁開閉弁１０の間は高温・高圧の液またはガス冷媒状態になり、圧縮機１０１内は、前記冷媒状態で低圧側への漏れを生じるが、電磁開閉弁１０の弁閉と逆止弁１０６の逆止作用と相まって、冷媒流れで見て、蒸発器１０５が、圧縮機１０１、蒸発皿１０２、凝縮器１０３より切り離されることにより、冷媒（熱）移動による蒸発器（庫内）１０５の温度上昇が防止される。このことにより、圧縮機１０１の運転停止時間の延長化と、運転時間の短縮が図られ、省エネルギ化に貢献することになる。
【図面の簡単な説明】
【００５５】
【図１】この発明による電磁開閉弁の一つの実施形態の弁閉状態を示す断面図である。
【図２】この発明による電磁開閉弁の一つの実施形態の弁開状態を示す断面図である。
【図３】図２の線ＩＩＩ−ＩＩＩに沿った断面図である。
【図４】この発明による電磁開閉弁の他の実施形態の弁閉状態を示す断面図である。
【図５】この発明による電磁開閉弁の他の実施形態の弁開状態を示す断面図である。
【図６】この発明による電磁開閉弁のもう一つの実施形態を示す断面図である。
【図７】この発明による電磁開閉弁の使用例を示す冷凍・冷蔵庫の冷媒回路である。
【図８】（ａ）はこの発明による電磁開閉弁の使用例を示す冷凍・冷蔵庫の冷却運転時の状態を示す説明図、（ｂ）は同じく運転停止時の状態を示す説明図である。
【符号の説明】
【００５６】
１０  電磁開閉弁
１１  弁ハウジング
１２  入口ポート
１３  出口ポート
１４  流路
１５  弁座部材
１６  弁座面
１７  弁ポート
１８  凹溝
１９  かしめ部
２０  ボール弁体
２１  ばね受け部材
２２  ばね取付部
２３  径方向貫通孔
２４  軸線方向貫通孔
２５  円環状空隙
２６  凹溝
２７  かしめ部
２８  圧縮コイルばね
３１  永久磁石
３１Ａ  Ｓ磁極部
３１Ｂ  Ｎ磁極部
３２  電磁コイルユニット
３３  電磁コイル
３４  樹脂モールド部
３４Ａ、３４Ｂ  取付脚部
３５  外凾
３６  内部磁路形成部材
３７、３８  電磁磁極部
３９Ａ、４０Ａ  取付脚部
４１  取付金具
１０１  圧縮機
１０２  蒸発皿
１０３  凝縮器
１０４  キャピラリ
１０５  蒸発器
１０６  逆止弁
【図１】
2008144926.tif 000003
【図２】
2008144926.tif 000004
【図３】
2008144926.tif 000005
【図４】
2008144926.tif 000006
【図５】
2008144926.tif 000007
【図６】
2008144926.tif 000008
【図７】
2008144926.tif 000009
【図８】
2008144926.tif 000010